(57)【要約】【課題】  イオン発生装置から発生したイオンを高濃度のまま人や動物の体表面に送出することによって、人や動物に付着あるいは周囲に浮遊した菌や臭い成分を効果的に除去するイオン送出装置を提供することを目的とする。【解決手段】  本発明に係るイオン送出装置は、放電によりイオンを発生させるイオン発生装置と、イオン発生装置が取り付けられる装着手段と、装着手段を人又は動物に装着した状態において、発生したイオンを人又は動物の体表面に沿って送出するイオン送出手段と、を備えることを特徴とする。【選択図】図１
2013105619.tif 000002
【特許請求の範囲】
【請求項１】
気中放電によりイオンを発生させるイオン発生装置と、
前記イオン発生装置が取り付けられる装着手段と、
前記装着手段を前記人又は動物に装着した状態において、前記発生したイオンを前記人又は動物の体表面に沿って送出するイオン送出手段と、を備えることを特徴とするイオン送出装置。
【請求項２】
前記イオン送出手段は、前記発生したイオンを空気とともに送風する送風装置である、ことを特徴とする請求項１に記載のイオン送出装置。
【請求項３】
前記装着手段は、前記人又は動物の少なくとも一部を覆う被覆体を備え、
前記イオン送出手段は、前記発生したイオンを前記被覆体と前記人又は動物の体表面との間に送出する、ことを特徴とする請求項1又は２に記載のイオン送出装置。
【請求項４】
前記被覆体は、前記装着手段に対して着脱可能に構成される、ことを特徴とする請求項３に記載のイオン送出装置。
【請求項５】
前記被覆体は、複数の通気層が積層されてなる材料を用いて構成される、ことを特徴とする請求項３又は４に記載のイオン送出装置。
【請求項６】
前記装着手段は、前記動物の首に装着するように構成された首輪であることを特徴とする請求項１から５のいずれか１項に記載のイオン送出装置。
【請求項７】
前記送風装置は、前記イオン発生装置と対向して配置され、
前記送風装置によって送風された空気は、前記人又は動物の体表面に沿って送出される、ことを特徴とする請求項２に記載のイオン送出装置。
【請求項８】
気中放電によりイオンを発生させ、
該発生したイオンを人又は動物の体表面に沿って送出することを特徴とするイオンによる菌又は臭い成分の除去方法。
【発明の詳細な説明】
【技術分野】
【０００１】
本発明は、正イオン又は負イオンが発生するイオン発生装置を応用する装置及びイオンを用いた方法であり、イオンを、人や動物の身体に照射することによって、人や動物の体表面に付着、あるいは体表面の周囲に浮遊した菌や臭い成分を除去することが可能なイオン送出装置及びイオンによる菌又は臭い成分の除去方法に関する。
【背景技術】
【０００２】
近年、人や動物に付着したあるいは周囲に浮遊している菌や臭い成分を除去し、健康で快適な生活を送りたいという要望が強くなっている。特に、犬や猫などのペットを飼う場合、ペットから発せられる臭いやペットの病気を予防するために、皮膚や毛に付着、あるいは周囲に浮遊した菌や臭い成分を殺菌・除去する必要がある。
【０００３】
従来より、室内の空気の浄化、殺菌あるいは消臭などを行うために、イオン発生装置が使用されている。これらの多くは、イオン発生電極を備え、コロナ放電させることで高濃度の正イオンと負イオンを発生させ、これらのイオンによって空気の浄化、殺菌あるいは消臭を行うものである。例えば、特許文献1には、正イオンと負イオンを発生させるイオン発生装置を備えた、空気清浄機が記載されている。
【０００４】
また、携帯型のイオン発生装置も知られており、例えば、特許文献２には、顔面近傍の装身具に取りつけられるイオン発生装置が記載されている。図を用いて説明すると、図１８に示すように、イオン発生装置１００は、例えば、帽子１０１に取り付けられて使用される。そして、イオン発生装置１００は、携帯中、常に使用者の前方に向かってイオン１０２を放出し、使用者の顔面近傍にイオン１０２を供給する。このように構成することによって、人間が吸い込む空気を浄化し殺菌することができるとされる。
【先行技術文献】
【特許文献】
【０００５】
【特許文献１】特許第３７７３７６７号
【特許文献２】特開２００５−２６１７１３号
【発明の概要】
【発明が解決しようとする課題】
【０００６】
しかしながら、特許文献１に記載された空気清浄機においては、発生したイオンは、ファンによる送風で放出された時点では高濃度であったとしても、室内に拡散することで希釈化され、人や動物の体表面に到達する前に大部分が空気中で消滅することが考えられる。その結果、人や動物の体表面に付着した菌や臭い成分に対して効果的に作用することはできない。
【０００７】
また、特許文献２に記載されたイオン発生装置においては、発生したイオンは、使用者が吸い込む空気だけを浄化、殺菌するものであり、人や動物に付着した菌や臭い成分は依然として体表面に付着したままである。
【０００８】
本発明は、上記の問題点に鑑みてなされたものであり、イオン発生装置から発生したイオンを高濃度のまま人や動物の体表面に送出することによって、人や動物に付着あるいは周囲に浮遊した菌や臭い成分を効果的に除去するイオン送出装置を提供することを目的とする。
【課題を解決するための手段】
【０００９】
本発明に係るイオン送出装置は、放電によりイオンを発生させるイオン発生装置と、イオン発生装置が取り付けられる装着手段と、装着手段を人又は動物に装着した状態において、発生したイオンを人又は動物の体表面に沿って送出するイオン送出手段と、を備えることを特徴とする。
【００１０】
上記イオン送出手段は、発生したイオンを空気とともに送風する送風装置であることが好ましい。
【００１１】
上記装着手段は、人又は動物の少なくとも一部を覆う被覆体を備え、イオン送出手段は、発生したイオンを被覆体と人又は動物の体表面との間に送出することが好ましい。
【００１２】
上記被覆体は、装着手段に対して着脱可能に構成されることが好ましい。
【００１３】
上記被覆体は、複数の通気層が積層されて構成されることが好ましい。
【００１４】
上記装着手段は、動物の首に装着するように構成された首輪であることが好ましい。
【００１５】
上記送風装置は、イオン発生装置と対向して配置され、送風装置によって送風された空気は、人又は動物の体表面に沿って送出されることが好ましい。
【００１６】
本願に係るイオンによる菌又は臭い成分の除去方法は、放電によりイオンを発生させ、発生したイオンを人又は動物の体表面に沿って送出することを特徴とする。
【発明の効果】
【００１７】
本発明によれば、イオン発生装置から発生したイオンを高濃度のまま人や動物の体表面に送出することによって、人や動物に付着あるいは周囲に浮遊した菌や臭い成分を効果的に除去するイオン送出装置及び、イオンによる菌又は臭い成分の除去方法を実現することができる。
【図面の簡単な説明】
【００１８】
【図１】実施の形態１に係る、イオン発生装置付き首輪である。
【図２】図１のイオン発生装置付き首輪を他方の側面側から見た外観斜視図である。
【図３】図１のイオン発生装置付き首輪のＡ−Ａ線断面による内部構造を示す模式図である。
【図４】図３の内部構造の一部を拡大した模式図である。
【図５】イオン発生装置のイオン発生素子を送風装置側から見た模式図（Ａ）と、その側面を示した模式図（Ｂ）である。
【図６】イオン発生装置が備える高電圧印加回路とイオン発生素子の回路の一例を示す図である。
【図７】図４のＢ−Ｂ線断面における模式図である。
【図８】実施の形態２に係る、被覆体８を取り付け可能なイオン発生装置付き首輪の使用状態を示す模式図である。
【図９】図８のイオン発生装置付き首輪の斜視図（Ａ）と、対応する被覆体の展開図（Ｂ）である。
【図１０】図９の除去装置を被覆体と共に使用した時のイオンの拡散状況を説明するための模式図である。
【図１１】実施の形態３に係る、複数の通気層が積層された被覆体を取り付けたイオン発生装置付き首輪を使用したときの、イオンの拡散状況を説明するための模式図である。
【図１２】実施形態４に係る、最外層布と最内層布との間に不織布が挿入された被覆体を取り付けたイオン発生装置付き首輪を使用した時のイオンの拡散状況を説明するための模式図である。
【図１３】実施の形態５に係る、イオン発生装置が取り付けられた犬用の衣服の模式図である。
【図１４】図１３のイオン発生装置の模式図である。
【図１５】図１４のイオン発生装置のＣ−Ｃ線断面による内部構造の一部を示す模式図である。
【図１６】実施の形態６に係る、イオン発生装置が取り付けられた宇宙服の模式図である。
【図１７】宇宙服に着脱可能に取り付けられるイオン発生装置の模式図である。
【図１８】背景技術に関する模式図である。
【発明を実施するための形態】
【００１９】
以下に、本発明に係るイオン送出装置を実施するための形態について図面を参照して説明する。
（実施の形態１）
図１は、実施の形態１に係る、犬用に構成したイオン発生装置付き首輪１の外観斜視図である。図２は、図１に係るイオン発生装置付き首輪１を他方の側面側から見た外観斜視図である。イオン発生装置付き首輪１は、首輪としての外形を構成するケーシング２と、ケーシング２に内蔵された２つのイオン発生装置３、３と、各イオン発生装置３、３にそれぞれ外気を導入する２つの送風装置４、４と、ヒンジ５と、バックル６と、リードフック７を備えている。
【００２０】
ケーシング２は、第１ケーシング２１と、第２ケーシング２２の２つの部材で分割構成され、第１ケーシング２１と第２ケーシング２２との両方で、装着手段としての首輪の円弧を形成するように構成されている。
【００２１】
イオン発生装置３、３は、それぞれ第１ケーシング２１と第２ケーシング２２とに内蔵されている。なお、イオン発生装置３の詳細は後述する。
【００２２】
送風装置４、４は、それぞれ第１ケーシング２１と第２ケーシング２２とに設けられた凸部４１、４１に配設されている。凸部４１、４１の外側面には、それぞれ網４２、４２でカバーされた吸気孔４３、４３が設けられ、凸部４１、４１の内部には、それぞれ小型のプロペラ式送風機４４、４４が配設されている（図３参照）。
【００２３】
網４２、４２は、第１ケーシング２１と第２ケーシング２２の内部へ体毛などの異物が吸い込まれることを防止するとともに、舌の先などがイオン発生装置３の高圧部分などに触れないように構成されている。
【００２４】
ヒンジ５は、第１ケーシング２１と第２ケーシング２２とを開閉可能に接続している。
【００２５】
バックル６は、ヒンジ５にて開閉可能に接続された第１ケーシング２１と第２ケーシング２２とを閉じた状態で固定して一体化するものであり、バックル６の基部は、第２ケーシング２２に回動可能に軸支され、バックル６の先部は第１ケーシング２１に設けられた爪２１１引っ掛けて固定し得るように構成されている。
【００２６】
リードフック７は、第２ケーシング２２を貫通して配設された金属製の輪で構成されており、例えば散歩用のひも（リード）を接続するときに使用する。
【００２７】
次に、イオン発生装置付き首輪１の内部構造について説明する。図３は、図１のイオン発生装置付き首輪１のＡ−Ａ線断面による内部構造を示す模式図である。図４は、図３の内部構造の一部を拡大した模式図である。図５は、イオン発生装置３のイオン発生素子３２を送風装置４側から見た模式図（Ａ）と、その側面を示した模式図（Ｂ）である。
【００２８】
第１ケーシング２１の内部には、一方のイオン発生素子３２と電池３３が配置され、第２ケーシング２２の内部には、他方のイオン発生素子３２と高電圧印加回路３４が配置されている。
【００２９】
第１ケーシング２１に内蔵されているイオン発生素子３２と第２ケーシング２２に内蔵されているイオン発生素子３２は、形状はケーシングの内部空間に応じて若干異なるが、それらの構成と機能は同じである。第１ケーシング２１に内蔵されたイオン発生素子３２と、第２ケーシング２２に内蔵されたイオン発生素子３２は、電池３３と高電圧印加回路３４を共用する構成となっている。
【００３０】
イオン発生素子３２は、正イオンを発生する針状電極３２１と、負イオンを発生する針状電極３２２とを備えている。
【００３１】
イオン発生素子３２は、図５に示したように、基板３２３に２つのＵ字状の切欠き３２４、３２５を設けて、一方の切欠き３２４の中心軸上には一方の針状電極３２１が配設され、針状電極３２１の基部は、一方の切欠き３２４の内側部分に設けたランド３２６に通電可能に固定され、他方の切欠き３２５の中心軸上には他方の針状電極３２２が配設され、針状電極３２２の基部は、他方の切欠き３２５の内側部分に設けたランド３２７に通電可能に固定されている。
【００３２】
一方のＵ字状の切欠き３２４の周縁部には針状電極３２１に対応する対向電極３２８が複数個所配置され、他方のＵ字状の切欠き３２５の周縁部には針状電極３２２に対応する対向電極３２９が複数個所配置されている。
【００３３】
また、イオン発生素子３２、３２がそれぞれ第１ケーシング２１と第２ケーシング２２の内部に設置された状態では、それぞれの針状電極３２１、３２２は、図１、２に示されたイオン送出孔３１１、３１２のほぼ中心に向かうように配設されている。
【００３４】
なお、図３においては、図１、２において説明した構成要素に関しては同じ符号を付して、その説明を省略するとともに、第２ケーシング２２に内蔵されたイオン発生素子３２は、第１ケーシング２１に内蔵されたイオン発生素子３２と同様の構成であるので、その説明は省略した。
【００３５】
図６に、イオン発生装置３が備える高電圧印加回路３４とイオン発生素子３２の回路の一例を示す。高電圧印加回路３４は、電池３３から給電され２つの電圧変換部３４１、３４２を経由してイオン発生素子３２に高電圧を印加するように構成されている。
【００３６】
イオン発生素子３２の針状電極３２１には、順方向ダイオード３２１１を介した高電圧が対向電極３２８との間に印加されることによって正イオンが発生する。
【００３７】
イオン発生素子３２の針状電極３２２には、逆方向ダイオード３２２１を介した高電圧が対向電極３２９との間に印加されることによって、負イオンが発生する。
【００３８】
次に、イオン発生素子３２と送風装置４との位置関係を説明する。図７は、図４のＢ−Ｂ線断面における模式図である。
【００３９】
イオン発生素子３２は、送風装置４の風下側に、基板３２３がプロペラ式送風機４４と対向するように第１ケーシング２１内に固定されている。また、前述したように、針状電極３２１は、その先端をイオン送出孔３１１の中央に向けて基板３２３に固定されており、基板に対して略水平になるように構成されている。
【００４０】
このような構成とすることで、図７において矢印で示したように、送風装置４によって、吸気孔４３から吸引された空気は、第１ケーシング２１との間に設けられた通気孔４５を通って、基板３２３に当たり、方向を略９０°変えられた後、イオン発生素子３２の針状電極３２１の近傍を通過して、針状電極３２１の近傍で発生させた正イオンと共に、針状電極３２１の針先方向に送出されて、針状電極３２１の針先方向に設けられているイオン送出孔３１１から送出される。
【００４１】
なお、図７では示されていないが、他方の針状電極３２２の近傍を通過した空気は、針状電極３２２の近傍で発生させた負イオンと共に、針状電極３２２の針先方向に送出されて、イオン送出孔３１２（図１参照）から送出される。
【００４２】
上述したイオン発生機付き首輪１を犬の首に装着するときは、図１に示したケーシング２に設けられたイオン送出孔３１１、３１２が、犬の胴体側へ面するように装着する。このように装着することにより、イオン送出孔３１１、３１２から送出されるイオンは、犬の身体の体表面に沿って送出されることになるので、拡散されていない高濃度のイオンの作用によって、体表面の菌または臭い成分の何れか一方、もしくは菌および臭い成分の両方を効果的に除去することができるのである。
【００４３】
イオン発生装置３は、イオン発生装置付き首輪１に内蔵されている構成上、犬の体表面に非常に近接した位置からイオンを送出することができるため、通常の空気清浄機等が空間に実現するイオン濃度の１００倍〜１０００倍という高濃度のイオンを供給することが可能である。計測した例では数百万個／ｃｍ３という濃度を確認している。
【００４４】
本実施の形態では正イオンをＨ＋（Ｈ２Ｏ）ｍ  （ｍは任意の自然数）、負イオンをＯ２−（Ｈ２Ｏ）ｎ  （ｎは任意の自然数）となるように、イオン発生素子３２に印加される電圧を、１ｋＶ〜２ｋＶ程度に調整している。
【００４５】
なお、イオン発生素子３２は正イオンと負イオンの両方を発生させるものに限定されず、正イオンのみ、または負イオンのみを発生させるものであっても良い。その場合には限定された殺菌効果や消臭効果と、リラックス効果がある。
【００４６】
また、本願のイオンには、単原子イオンや多原子イオン、クラスターイオン等の各種イオンが広く含まれ、静電霧化現象を利用して得られる帯電した微粒子水滴も含まれる。
【００４７】
また、実施の形態１のイオン発生機付き首輪１は、送風装置を備えているので、イオン発生素子にて発生したイオンを、首輪から離れた位置の体表面まで送出することができる。
（実施の形態２）
上述した実施の形態１のイオン発生装置付き首輪１に、高濃度のイオンの拡散領域を制限するための被覆体を取り付けてもよい。以下においては、イオン発生装置付き首輪１に被覆体を取り付けた形態を実施の形態２として説明する。
【００４８】
図８は、本発明に実施の形態２に係る、被覆体を取り付け可能なイオン発生装置付き首輪１Ｂの使用状態を示す模式図であり、図９は、図８のイオン発生装置付き首輪の斜視図（Ａ）と、対応する被覆体の展開図（Ｂ）である。
【００４９】
イオン発生装置付き首輪１Ｂは、被覆体としての衣服８を取り付け可能としたこと以外は、実施の形態１におけるイオン発生装置付き首輪１と同様の構成であるので、対応する構成には同じ符号を付してその説明は省略する。
【００５０】
図９（Ａ）に示したように、イオン発生装置付き首輪１Ｂの外周の表面には、送風装置４が配設されている領域を除いて、接続手段としての面ファスナー１２、１２が例えば貼着されて配設されている。
【００５１】
図９（Ｂ）に示したように、衣服８は市販されている従来のペット用の衣服と異なり、犬の首に当たる首部分８１が長くなっており、首部分８１の内側には、イオン発生装置付き首輪１Ｂの面ファスナー１２に対応する面ファスナー８１１が貼着され、対応する面ファスナー１２と面ファスナー８１１とが係合することによって接続されるように構成されている。本明細書において、「係合する」とは、対応する面ファスナーどうしが、互いの表面に形成されたフックとループ等の構造を関係付けした状態で引っ掛け合うことによって接続されて互いに固定されることを意味している。
【００５２】
衣服８には、さらに、基本となる布地部分８２の腹に対応する部分８３に面ファスナー８３１、８３２が貼着され、尻に対応する部分８４に面ファスナー８４１、８４２が貼着されている。
【００５３】
図８に示したように、衣服８を犬Ｄの胴体部分に装着した状態では、図９（Ｂ）に示した面ファスナー８３１と面ファスナー８３２とが犬の腹を覆って係合し、面ファスナー８４１と面ファスナー８４２とが犬の尻を覆って係合することによって、衣服８と犬Ｄの体表面との間に隙間が形成されるように構成されている。
【００５４】
そして、犬Ｄの胴体を覆った衣服８の首部分８１の面ファスナー８１１と、イオン発生装置付き首輪１Ｂの面ファスナー１２とを係合させて、イオン発生装置付き首輪１Ｂと衣服８とを接続した状態では、イオン発生装置付き首輪１Ｂに形成されたイオン送出孔３１１、３１２は、衣服８と犬Ｄの体表面との間の隙間に向かって開口した状態となる。
【００５５】
図１０は、図９の除去装置を被覆体と共に使用した時のイオンの拡散状況を説明するための模式図である。送風装置４のプロペラ式送風機４４によって外部から吸引された空気は、第１ケーシング２１との間に設けられた通気孔４５を通って、イオン発生素子３２の基板３２３に当たって方向が変わり、針状電極３２１の近傍を通過して、発生させたイオン３５と共に、針状電極３２１の針先方向に送出されて、イオン送出孔３１１から、衣服８の布地部分８２と、犬の体表面Ｄ１との間の空間に送出されるように構成されている。
【００５６】
なお、イオン３５は本来微細なものであるが、図中においては模式的に「○」で図示した。
【００５７】
図８、９、１０を参照して説明したように、衣類８を取り付けたイオン発生装置付き首輪１Ｂにおいては、発生したイオン３５は、イオン送出孔３１１、３１２から衣服８と犬Ｄの体表面との隙間に送出されるので、イオンの拡散領域を衣服８と犬Ｄの体表面との隙間に制限することができ、イオンが体表面から大気中へ拡散することを効果的に防止することができる。また、イオンは、送風装置４によって衣服８の内側に沿って送出されるのでイオン発生装置から遠い腹部や足元へもイオンを到達させることができる。また、犬の毛の方向に沿ってイオンを送風することが望ましい。そのように配置すればイオン発生装置から遠い腹部や足元へもイオンを到達させることができる。
【００５８】
したがって、発生したイオン３５は、高濃度のまま犬Ｄの体表面に送出されるので、前述のように、拡散されない高濃度のイオンの作用により、各部の体表面Ｄ１に付着した細菌を殺菌するとともに臭い成分の分解を効果的に行うことが可能となる。
【００５９】
また、イオン３５は、衣服８と犬の体表面Ｄ１の摩擦で起こる静電気を中和する効果も有する。さらに、正負イオンもしくは負イオンを大量に供給する場合には、それぞれのイオンが空気中の水分を吸着してクラスタ状態となるために、体表面Ｄ１に分子レベルの水分を供給することが可能になり、体表面Ｄ１に潤いを提供する効果も期待できる。
【００６０】
なお、衣服８が不必要なときには、衣服８の首部分８１の面ファスナー８１１を、イオン発生装置付き首輪１Ｂの面ファスナー１２から引き剥がすことによって、衣服８をイオン発生機付き首輪１Ｂから容易に取り外すことができる。
【００６１】
このように、衣服８は、対応する面ファスナー１２と面ファスナー８１１とによって、イオン発生機付き首輪１Ｂに対して着脱可能に取り付けられるのである。
（実施の形態３）
上述した実施の形態２における被覆体は、複数の通気層が積層された材料を用いて構成してもよい。以下においては、イオン発生装置付き首輪に複数の通気層が積層された被覆体を取り付けた形態を実施の形体３として説明する。図１１は、実施の形体３のイオン送出装置を使用したときの、イオンの拡散状況を説明するための模式図である。
【００６２】
イオン発生装置付き首輪１Ｂは、被覆体としての衣服８Ｂを取り付け可能としたこと以外は、実施の形態１におけるイオン発生装置付き首輪１と同様の構成であるので、対応する構成には同じ符号を付してその説明は省略する。
【００６３】
衣服８Ｂを構成する布地部分８２Ｂは、図１１に示したように、最外層布８２１Ｂの内側に、互いに目の粗さの異なるメッシュ生地８２２Ｂ、８２３Ｂ、８２４Ｂが例えば３枚、積層された材料が用いられている。
【００６４】
このように、メッシュ生地が例えば３枚、積層された材料を用いることによって、最外層布８２１Ｂとメッシュ生地８２２Ｂとの間に形成された第１の通気層８２５Ｂ、メッシュ生地８２２Ｂとメッシュ生地８２３Ｂとの間に形成された第２の通気層８２６Ｂ、メッシュ生地８２３Ｂとメッシュ生地８２４Ｂとの間に形成された第３の通気層８２７Ｂ、さらに、メッシュ生地８２４Ｂと犬の体表面Ｄ１との間に形成された第４の通気層８２８Ｂと、４つの通気層が形成される。
【００６５】
犬の体表面Ｄ１と最外層布８２１Ｂとの間に、隙間を持った複数の通気層を積層させた状態で形成し、イオン送出孔３１１から送出される高濃度のイオン３５を、各通気層８２５Ｂ、８２６Ｂ、８２７Ｂ、および８２８Ｂに送出することによって、第４の通気層８２８Ｂに送出されたイオンは、イオン送出孔３１１から近い距離の体表面Ｄ１で消費されても、第３の通気層８２７Ｂに送出されたイオンは、さらに遠い距離の体表面Ｄ１まで高濃度の状態で到達して消費され、第２の通気層８２６Ｂもしくは第１の通気層８２５Ｂに送出されたイオンは、さらに遠い距離の体表面Ｄ１まで高濃度の状態で到達して消費される。
【００６６】
目の粗さの異なるメッシュ生地を数枚重ねた材料で衣服８Ｂを構成することで、各メッシュ生地が各通気層間の仕切りとなり、各通気層に送出されたイオン３５から体表面Ｄ１までの距離が、メッシュ生地の枚数によって数段階に分けられる。そのため、各通気層に送出されたイオン３５が、メッシュ生地を通り抜けて体表面Ｄ１に到達するまでの距離と時間を、数段階に異ならせることができる。その結果、イオン発生装置３のイオン送出孔３１１から離れた部分の体表面Ｄ１にもイオンが高濃度の状態で到達しやすくなり、衣服８Ｂに覆われた体表面Ｄ１の広い領域にわたってイオン濃度の分布が高濃度の状態で均一になりやすい。
【００６７】
したがって、イオン発生装置付き首輪１Ｂから遠い腹部や足元などにも、イオン３５が十分に高濃度の状態で到達しやすくなるので、イオン発生装置付き首輪１Ｂから離れた部分の犬の体表面Ｄ１に付着した細菌を殺菌して除去するとともに臭い成分の分解・除去を効果的に行うことが可能となる。
（実施の形態４）
上述した実施の形態３における衣服８Ｂは、最外層布と最内層布との間に不織布が挿入された材料を用いて構成してもよい。以下においては、イオン発生装置付き首輪に、最外層布と最内層布との間に不織布が挿入された被覆体を取り付けた形態を実施の形体４として説明する。図１２は、実施の形体４のイオン送出装置を使用したときの、イオンの拡散状況を説明するための模式図である。
【００６８】
イオン発生装置付き首輪１Ｂは、被覆体としての衣服８Ｃを取り付け可能としたこと以外は、実施の形態１におけるイオン発生装置付き首輪１と同様の構成であるので、対応する構成には同じ符号を付してその説明は省略する。
【００６９】
実施の形態４に用いる衣服８Ｃを構成する布地部分８２Ｃは、図１２に示したように、最外層布８２１Ｃと最内層布８２２Ｃとの間に、模式的に波形で示したように不織布８２３Ｃが挿入された材料が用いられている。最内層布８２２Ｃは通気性のあるメッシュ生地とする。
【００７０】
不織布８２３Ｃは、多数の繊維が接着された状態で隙間が形成され、隙間の形状を保持できる程度の強度を有しており、隙間を保持する部材として機能するので、最外層布８２１Ｃと最内層布８２２Ｃとの間に不織布８２３Ｃによって形成される隙間８２４Ｃは、多少の外圧では容易には潰れない。
【００７１】
したがって、イオン送出孔３１１から送出される高濃度のイオン３５は、不織布８２３Ｃによって確保される隙間８２４Ｃを通って、遠い距離の体表面Ｄ１まで高濃度の状態で到達することができる。
【００７２】
その結果、イオン発生装置３のイオン送出孔３１１から離れた体表面Ｄ１の部分にもイオンが高濃度の状態で到達しやすくなり、衣服８Ｃに覆われた体表面Ｄ１の広い領域にわたってイオン濃度の分布が高濃度の状態で均一になりやすい。
【００７３】
したがって、イオン発生装置付き首輪１Ｂから遠い腹部や足元などにも、イオン３５が十分に高濃度の状態で到達しやすくなるので、犬の体表面Ｄ１に付着した細菌を殺菌するとともに臭い成分の分解・除去を効果的に行うことが可能となる。
【００７４】
実施の形態３もしくは実施の形態４で用いることのできるメッシュ生地には様々な素材を使用したものがあり、防湿、吸汗、速乾、静電気防止、体温調整などができる機能等を備えた種々の機能性生地があるため、このような機能性生地と本発明の実施の形態によるイオン発生装置付き首輪を組み合わせることによって犬の快適性も向上させることができる。なお、実施の形態３で用いる布地部分には、メッシュ生地を３層に限らず、何層積層させてもよく、実施の形態４で用いる布地部分には、１層以上の不織布と１層以上のメッシュ生地を積層させてもよい。
【００７５】
また、衣服は必ずしも布で形成される必要はなく、樹脂製のシートや防水加工をした紙などの材料であっても良い。
【００７６】
また、上述した実施の形態２、３、４における衣服８、８Ｂ、８Ｃは、イオン発生装置付き首輪１Ｂに対して着脱可能に取り付けられているが、被覆体をイオン発生装置付き首輪１Ｂに対して取り外しできない状態で取り付けてもよい。ここで、取り外しできない状態とするために、イオン発生装置付き首輪と被覆体を接着等の方法によって取り付けることができる。この場合には、犬が勝手に被覆体を取り外すことを防ぐことができるので、常に被覆体と体表面との間にイオンが供給されて、高濃度のイオンによる効果が安定して得られる。
（実施の形態５）
実施の形態１から４においては、送風装置４によって発生したイオンを人又は動物の体表面に沿って送出させていたが、送風装置を構成要素に含まない実施の形態も可能である。以下においては、送風装置を構成要素に含まない実施の形態を実施の形体５として説明する。図１３は、実施の形態５に係る、イオン発生装置が取り付けられた犬用の衣服の模式図である。図１４は、図１３のイオン発生装置の模式図である。図１４において、イオン発生装置は、衣服に取り付けられていない状態を示している。図１５は、図１４のイオン発生装置のＣ−Ｃ線断面による内部構造の一部を示す模式図である。
【００７７】
イオン発生装置３は、犬用の衣服８Ｄの内側であって、犬の腹部よりやや下方の位置に取り付けられている。イオン発生装置３は、実際には左右方向の対称な位置に２箇所取り付けられているが、図１３では、その一方のみを図示している。イオン発生装置３のイオン送出孔３１１、３１２は、犬が衣服８Ｅを装着した状態で上方に向くように配置されている。また、イオン発生装置３は、図１４を参照すると、Ｄ面にて衣服８Ｄと接着等の手段で取り付けられる。以上のように、イオン発生装置３は、衣服８Ｄによって犬に装着される。
【００７８】
図１５に示したように、イオン発生装置３は、基盤３２３に針状電極３２１がその先端をイオン送出孔３１１の中央に向けて構成されている。また、イオン発生装置には、図示しない電池と高電圧印加回路が接続されている。
【００７９】
衣服８Ｄの背中部と腹部には、複数の空気穴８５、８６が設けられ、空気穴８５、８６を介して外の空気が衣服８Ｄ内に取り込まれ、また、衣服８Ｄの内部から外に排出されるように構成されている。
【００８０】
犬が衣類８Ｄを装着した状態では、犬の体温によって衣服８Ｄの内側の空気が温められ衣服８Ｄの外側の空気との間に温度差を生じる。温められた空気は、図１３に矢印で示したように衣服８Ｄの内側に沿って上昇し、背中側に達し、空気穴８５から排出される。代わりに空気穴８６から空気が流入するので、衣服８Ｄの内側では、犬の体表面に沿って上昇気流が生じることになる。イオン発生装置３で発生したイオンは、この上昇気流により犬の体表面に沿って送出される。
【００８１】
このような構成とすることで、送風装置を用いることなく発生したイオンを高濃度のまま動物の体表面に送出することができるので、装置の小型化・軽量化が可能となり、また、消費電力を小さくすることができるので、電池の小型化が出来るとともに電池の交換または、充電の頻度を少なくすることができる。また、送風装置の騒音や振動が問題となる用途にも用いることができる。
【００８２】
なお、実施の形態５においては、所謂煙突効果を利用することで、送風装置を用いることなくイオンを送出することを説明したが、その他にも静電気的な引力や反発力を利用してイオンを送出してもよい。
（実施の形態６）
実施の形態１から５においては、本発明に係るイオン送出装置を装着する対象を動物、特に、犬を例にとって説明したが、犬以外の動物又は人に装着することも可能である。以下においては、人を対象としたイオン送出装置として、宇宙服にイオン発生装置を取り付けた形態を実施の形態６として説明する。図１６は、実施の形態６に係る、イオン発生装置が取り付けられた宇宙服の模式図である。
【００８３】
イオン発生装置３は、宇宙服８Ｅの内側であって、略腰の高さの左右２箇所に取り付けられている。図示しないイオン発生装置３のイオン送出孔３１１、３１２は、イオン発生装置３の上面に設けられており、イオンは、図示しない送風装置によって上方に放出される。以上のように、イオン発生装置３は、衣服８Ｅによって人に装着される。
【００８４】
宇宙服８Ｅは、胴部８１Ｅ、頭部８２Ｅ、腕部８３Ｅ、脚部８４Ｅを有しており、それぞれの構成部は気密に接続されて使用される。
【００８５】
送風装置によって上方に送出されたイオンは、図１６に矢印で示した様に着用者の前側を胴部８１Ｅの内側にそって上昇し、その一部が腕部８３Ｅ内に至る。残りのイオンは、さらに上昇し、頭部８２Ｅ内をイオンで満たした後、胴部８１Ｅの背面に沿って下降する。また、宇宙服８Ｅは、前述のごとく気密に構成されているので、胴部８１Ｅから分岐した、腕部８３Ｅや脚部８４Ｅ内部にもイオンを行き渡らせることができる。
【００８６】
したがって、イオン発生装置３から遠い頭部８２Ｅや腕部８３Ｅ、脚部８４Ｅなどにも、イオンが十分に高濃度の状態で到達しやすくなるので、人の体表面に付着した菌を殺菌するとともに臭い成分の分解・除去を効果的に行うことが可能となる。
【００８７】
なお、イオン発生装置３は、宇宙服８Ｅに、着脱可能に取り付けられても良い。図１７に宇宙服に着脱可能に取り付けられるイオン発生装置３の模式図を示す。
【００８８】
イオン発生装置３は、宇宙服の内側に付加するための付加手段２４を備えている。また、宇宙服８Ｅの内側には、内ポケット８５Ｅが設けられている。イオン発生装置３は、付加手段２４を用いて内ポケット８５Ｅに着脱可能に取り付けられる。イオン発生装置３が宇宙服８Ｅに取り付けられた状態において、イオン送出孔３１１、３１２は、人の体表面に沿った方向を向いている。
【００８９】
このような構成とすることで、イオン発生装置を後付けするができ、既存の宇宙服８Ｅに対して、イオンによる殺菌・消臭効果を付与することができる。また、イオン発生装置３を取り外し可能としたことで、電池やイオン発生素子の交換を簡単に行うことができる。
【００９０】
また、本実施の形態では宇宙服で説明を行ったが、ライダーズスーツなど他の服にも応用可能である。
（その他の実施の形体）
以上の実施の形態１から５においては、本発明に係るイオン送出装置を装着する動物として、犬を例にとって説明したが、犬に限らず、猫やハムスターなどの小動物から、サイズと形状をそれぞれ合わせることによって、中型、大型の動物にも装着することが可能である。
【００９１】
また、イオン送出装置を装着する身体の部位は、首に限らず、腹部や、足に装着することも可能である。イオン発生装置を、足に装着する場合には、靴下状のものや、靴状のものにイオン発生装置を設けるとよい。
【００９２】
また、犬の散歩時には、首輪に代えてハーネスにリードを接続する場合があるが、その場合には、前記ハーネスにイオン発生装置を設けてもよい。また、イオンによる菌や臭い成分の除去作用のためには、イオン発生装置の電源を常時オンとしていることが効果的であるが、犬どうしが互いの臭いを確認し合う場合のように、臭いの除去を中止することが望まれる場合には、一時的にイオン発生を中止するために、電源のオンオフスイッチを設けてもよい。
【００９３】
また、給電手段としては、各種充電可能な電池等も利用できるが、首輪のケーシングの表面や衣服の表面に配設した太陽電池を利用することも可能である。また、動物の運動による振動エネルギーや体温と外気温との温度差を電力に変換して利用することも可能である。
【産業上の利用可能性】
【００９４】
本発明に係るイオン送出装置は、小型のペットから大型の家畜などの多種類の動物や人を対象として好適に利用できる。
【符号の説明】
【００９５】
１、１Ｂ  イオン発生装置付き首輪
２  ケーシング
３  イオン発生装置
３１１、３１２  イオン送出孔
３２  イオン発生素子
３２１、３２２  針状電極
３２３  基板
３２４、３２５  切欠き
３２６、３２７  ランド
３２８、３２９  対向電極
３３  電池
３４  高電圧印加回路
３５  イオン
４  送風装置
４１  凸部
４２  網
４３  吸気孔
４４  プロペラ式送風機
５  ヒンジ
６  バックル
７  リードフック
８、８Ｂ、８Ｃ、８Ｄ  衣服
８Ｅ  宇宙服
１２、８１１、８３１、８３２、８４１、８４２  面ファスナー
Ｄ  犬（動物）
Ｄ１  体表面
【図１】
2013105619.tif 000003
【図２】
2013105619.tif 000004
【図３】
2013105619.tif 000005
【図４】
2013105619.tif 000006
【図５】
2013105619.tif 000007
【図６】
2013105619.tif 000008
【図７】
2013105619.tif 000009
【図８】
2013105619.tif 000010
【図９】
2013105619.tif 000011
【図１０】
2013105619.tif 000012
【図１１】
2013105619.tif 000013
【図１２】
2013105619.tif 000014
【図１３】
2013105619.tif 000015
【図１４】
2013105619.tif 000016
【図１５】
2013105619.tif 000017
【図１６】
2013105619.tif 000018
【図１７】
2013105619.tif 000019
【図１８】
2013105619.tif 000020